(57)【要約】【課題】部分流量運転でポンプ過大振動の原因となるインペラ入口部で発生する逆流の旋回成分（周方向速度）を除去し、部分流量領域でポンプ過大振動を抑制できる遠心ポンプ、斜流ポンプ、及び軸流ポンプを提供すること。【解決手段】ポンプケーシング１０とインペラ１３を備え、該ポンプケーシング１０とインペラ入口１３ａとの間にライナリング１７を介在させた遠心ポンプにおいて、ライナリング１７の液流入側端部周方向にインペラ入口中１３ａの中心方向又は該中心方向に対して所定角傾斜した方向に液流の逆流旋回成分を防止する複数のフィン１８を設けた。【選択図】図４
2007092565.tif 000002
【特許請求の範囲】
【請求項１】
ポンプケーシングとインペラを備え、該ポンプケーシングと該インペラ入口との間にライナリングを介在させた遠心ポンプにおいて、
前記ライナリングの液流入側端部周方向に前記インペラ入口中心方向又は該中心方向に対して所定角度傾斜した方向に液流の逆流旋回成分を防止する複数のフィンを設けたことを特徴とする遠心ポンプ。
【請求項２】
請求項１に記載の遠心ポンプにおいて、
前記複数のフィンの内側端に該フィンを補強する補強リングを設けたことを特徴とする遠心ポンプ。
【請求項３】
ポンプケーシングとインペラを備え、該ポンプケーシングと該インペラ入口との間にライナリングを介在させた遠心ポンプにおいて、
前記ライナリングの液流入側端部は前記インペラ入口の液流入側端部より所定角度液流入側に突出し且つインペラ入口側に傾斜する傾斜面を有する顎部が形成された構成であり、該顎部の液流入側端部周方向に前記インペラ入口中心方向又は該中心方向に対して所定角度傾斜した方向に液流の逆流旋回成分を防止する複数のフィンを設けたことを特徴とする遠心ポンプ。
【請求項４】
請求項３に記載の遠心ポンプにおいて、
前記複数のフィンの内側端に該フィンを補強する補強リングを設けたことを特徴とする遠心ポンプ。
【請求項５】
ポンプケーシングとインペラを備え、該ポンプケーシングと該インペラとの間にライナリングを介在させるか又は介在させない斜流ポンプ又は軸流ポンプにおいて、
前記インペラ液流入側端部近傍のライナリング内周面又はポンプケーシング内周面に周方向に前記インペラ入口中心方向又は該中心方向に対して所定角度傾斜した方向に液流の逆流旋回成分を防止する複数のフィンを設けたことを特徴とする斜流ポンプ又は軸流ポンプ。
【請求項６】
請求項５に記載の斜流ポンプ又は軸流ポンプにおいて、
前記複数のフィンの内側端に該フィンを補強する補強リングを設けたことを特徴とする斜流ポンプ又は軸流ポンプ。
【請求項７】
ポンプケーシングとインペラを備え、該ポンプケーシングと該インペラ入口との間にライナリングを介在させた遠心ポンプにおいて、
前記ライナリングの液流入側端部周方向に前記インペラ入口の外周側に径方向に対して所定角度傾斜した方向に該インペラ入口に流れ込む液流を整流する複数の整流板を設けたことを特徴とする遠心ポンプ。
【請求項８】
請求項７に記載の遠心ポンプにおいて、
前記複数の整流板の液流入側端部に該整流板を補強する補強リングを設けたことを特徴とする遠心ポンプ。
【請求項９】
ポンプケーシングとインペラを備え、該ポンプケーシングと該インペラ入口との間にライナリングを介在させた遠心ポンプにおいて、
前記ライナリングの液流入側端部周方向に前記インペラ入口の内周側及び外周側に径方向に対して所定角度傾斜した方向に液流の逆流旋回成分を防止すると共に液流を整流する複数の逆流旋回成分防止兼整流板を設けたことを特徴とする遠心ポンプ。
【請求項１０】
請求項９に記載の遠心ポンプにおいて、
前記複数の逆流旋回成分防止兼整流板の内側端に該逆流旋回成分防止兼整流板を補強する補強リングを設けたことを特徴とする遠心ポンプ。
【発明の詳細な説明】
【技術分野】
【０００１】
本発明は、遠心ポンプ、斜流ポンプ、及び軸流ポンプに関し、特に部分流量領域における過大振動の抑制及びポンプ性能の向上を図ることができる遠心ポンプ、斜流ポンプ、及び軸流ポンプに関するものである。
【背景技術】
【０００２】
遠心ポンプ、斜流ポンプ、及び軸流ポンプでは、部分流量運転においてインペラ入口に流入した液の内、インペラ出口から流出できなかった分の液がインペラによって回転させられながら、インペラ入口より逆流する。この旋回成分を持つ液の逆流がポンプの部分流量領域での過大振動源となる。
【０００３】
また、遠心ポンプである両吸込渦巻ポンプでは流入した液が旋回をある程度もった状態（予旋回）でインペラに流入する。しかしながら、インペラ流入部の流れは周方向に均一ではなく、このため、インペラの入口翼角度は平均的に液流入流れとあわせるものの局所的に見ると最適にはなりえず、ポンプ性能の向上に障壁となっている。
【０００４】
図１及び図２は遠心ポンプの一例である両吸込渦巻ポンプの構成例を示す図である。図１は正断面図（図２のＢ−Ｂ断面）、図２は側面図（図１のＡ矢視図）である。図示するようにポンプケーシング１０はその正断面が吸込ケーシング部１１の中央部に吐出ケーシング部１２が配置され、吸込ケーシング部１１の吸込口１１ａと、吐出ケーシング部１２の吐出口１２ａは互いに反対向きとなっている。ポンプケーシング１０の中央部に主軸１４に固定されたインペラ１３が配置されている。主軸１４はその両端部が軸受１５、１５で回転自在に支持され、主軸１４の一端に電動機等の駆動装置（図示せず）が連結されている。なお、図１において、１６、１６は軸封部、１７、１７はライナリングである。  
【０００５】
上記構成の両吸込渦巻ポンプにおいて、図示しない駆動装置により主軸１４と共にインペラ１３が回転すると、インペラ１３の回転により、吸込ケーシング部１１の吸込口１１ａから吸い込まれた液は吸込ケーシング部１１内を矢印Ｃに示すように流れ、インペラ入口１３ａからインペラ１３内に流れ込み、吐出ケーシング部１２内を矢印Ｅに示すように流れ、吸込口１１ａとは反対側に配置された吐出ケーシング部１２の吐出口１２ａから吐き出される。
【発明の開示】
【発明が解決しようとする課題】
【０００６】
上記構成の両吸込渦巻ポンプの運転中の液の流れにおいて、部分流量運転では、インペラ１３の出口１３ｂから流出できなかった液はインペラ入口１３ａ部分で矢印Ｄに示すように逆流となる。この逆流は旋回成分（周方向速度）を有しており、これが図３の曲線Ｂに示すように部分流量領域Ｃで振動速度が大きくなり、上記のようにポンプ過大振動の原因となっている。なお、このようなポンプ振動の原因は、他の遠心ポンプ、斜流ポンプ、軸流ポンプも有している。
【０００７】
また、上記両吸込渦巻ポンプにおいて、吸込ケーシング部１１の吸込口１１ａから吸い込まれた液は上記のように旋回をある程度もった状態で流入するが、図２に示すように、インペラ入口１３ａ部分の液の流は周方向に均一ではなく、ポンプ性能に悪影響を与える。なお、このようなポンプ性能に悪影響を与えるインペラ入口部分の周方向の液の不均一の流は両吸込渦巻ポンプだけではなく、他の遠心ポンプも有している。
【０００８】
本発明は上述の点に鑑みてなされたもので、部分流量運転でポンプ過大振動の原因となるインペラ入口部で発生する逆流の旋回成分（周方向速度）を除去し、部分流量領域で過大振動を抑制できる遠心ポンプ、斜流ポンプ、及び軸流ポンプを提供することを目的とする。
【０００９】
また、本発明はポンプ性能に悪影響を与えるインペラ入口部分の周方向の液の不均一の流を除去し、ポンプ性能の向上を図った遠心ポンプを提供することを目的とする。
【課題を解決するための手段】
【００１０】
上記課題を解決するため請求項１に記載の発明は、ポンプケーシングとインペラを備え、該ポンプケーシングと該インペラ入口との間にライナリングを介在させた遠心ポンプにおいて、前記ライナリングの液流入側端部周方向に前記インペラ入口中心方向又は該中心方向に対して所定角度傾斜した方向に液流の逆流旋回成分を防止する複数のフィンを設けたことを特徴とする。
【００１１】
請求項２に記載の発明は、請求項１に記載の遠心ポンプにおいて、前記複数のフィンの内側端に該フィンを補強する補強リングを設けたことを特徴とする。
【００１２】
請求項３に記載の発明は、ポンプケーシングとインペラを備え、該ポンプケーシングと該インペラ入口との間にライナリングを介在させた遠心ポンプにおいて、前記ライナリングの液流入側端部は前記インペラ入口の液流入側端部より所定角度液流入側に突出し且つインペラ入口側に傾斜する傾斜面を有する顎部が形成された構成であり、該顎部の液流入側端部周方向に前記インペラ入口中心方向又は該中心方向に対して所定角度傾斜した方向に液流の逆流旋回成分を防止する複数のフィンを設けたことを特徴とする。
【００１３】
請求項４に記載の発明は、請求項３に記載の遠心ポンプにおいて、前記複数のフィンの内側端に該フィンを補強する補強リングを設けたことを特徴とする。
【００１４】
請求項５に記載の発明は、ポンプケーシングとインペラを備え、該ポンプケーシングとインペラとの間にライナリングを介在させるか又は介在させない斜流ポンプ又は軸流ポンプにおいて、前記インペラ液流入側端部近傍のライナリング内周面又はポンプケーシング内周面に周方向に前記インペラ入口中心方向又は該中心方向に対して所定角度傾斜した方向に液流の逆流旋回成分を防止する複数のフィンを設けたことを特徴とする。
【００１５】
請求項６に記載の発明は、請求項５に記載の斜流ポンプ又は軸流ポンプにおいて、前記複数のフィンの内側端に該フィンを補強する補強リングを設けたことを特徴とする。
【００１６】
請求項７に記載の発明は、ポンプケーシングとインペラを備え、該ポンプケーシングと該インペラ入口との間にライナリングを介在させた遠心ポンプにおいて、前記ライナリングの液流入側端部周方向に前記インペラ入口の外周側に径方向に対して所定角度傾斜した方向に該インペラ入口に流れ込む液流を整流する複数の整流板を設けたことを特徴とする。
【００１７】
請求項８に記載の発明は、請求項７に記載の遠心ポンプにおいて、前記複数の整流板の液流入側端部に該整流板を補強する補強リングを設けたことを特徴とする。
【００１８】
請求項９に記載の発明は、ポンプケーシングとインペラを備え、該ポンプケーシングと該インペラ入口との間にライナリングを介在させた遠心ポンプにおいて、前記ライナリングの液流入側端部周方向に前記インペラ入口の内周側及び外周側に径方向に対して所定角度傾斜した方向に液流の逆流旋回成分を防止すると共に液流を整流する複数の逆流旋回成分防止兼整流板を設けたことを特徴とする。
【００１９】
請求項１０に記載の発明は、請求項９に記載の遠心ポンプにおいて、前記複数の逆流旋回成分防止兼整流板の内側端に該逆流旋回成分防止兼整流板を補強する補強リングを設けたことを特徴とする。
【発明の効果】
【００２０】
請求項１に記載の発明によれば、ライナリングの液流入側端部周方向にインペラ入口中心方向又は該中心方向に対して所定角度傾斜した方向に液流の逆流旋回成分を防止する複数のフィンを設けたので、インペラ入口部に発生する逆流が有する旋回成分の発生が防止され、ポンプの部分流量領域での大きな振動速度（過大振動）を抑制できる遠心ポンプを提供できる。
【００２１】
請求項２に記載の発明によれば、複数のフィンの内側端に該フィンを補強する補強リングを設けたので、フィンが補強され、ポンプの部分流量領域で大きな振動速度を抑制できる作用効果が更に向上する。
【００２２】
請求項３に記載の発明によれば、ライナリングの顎部の液流入側端部周方向に前記インペラ入口中心方向又は該中心方向に対して所定角度傾斜した方向に液流の逆流旋回成分を防止する複数のフィンを設けたので、インペラ入口部に発生する逆流が有する旋回成分の発生が防止され、ポンプの部分流量領域で大きな振動速度を抑制できる遠心ポンプを提供できる。
【００２３】
請求項４に記載の発明によれば、複数のフィンの内側端に該フィンを補強する補強リングを設けたので、フィンが補強され、ポンプの部分流量領域で大きな振動速度を抑制できる作用効果が更に向上する。
【００２４】
請求項５に記載の発明によれば、インペラ液流入側端部近傍のライナリング内周面又はポンプケーシング内周面に周方向にインペラ入口中心方向又は該中心方向に対して所定角度傾斜した方向に液流の逆流旋回成分を防止する複数のフィンを設けたので、インペラ入口部に発生する逆流が有する旋回成分の発生が防止され、ポンプの部分流量領域で大きな振動速度を抑制できる斜流ポンプ又は軸流ポンプを提供できる。
【００２５】
請求項６に記載の発明によれば、複数のフィンの内側端に該フィンを補強する補強リングを設けたので、フィンが補強され、ポンプの部分流量領域で大きな振動速度を抑制できる作用効果が更に向上する。
【００２６】
請求項７に記載の発明によれば、ライナリングの液流入側端部周方向にインペラ入口の外周側に径方向に対して所定角度傾斜した方向にインペラ入口に流れ込む液流を整流する複数の整流板を設けたので、インペラに流入する液流が均一化され、ポンプ性能の向上した遠心ポンプを提供できる。
【００２７】
請求項８に記載の発明によれば、複数の整流板の液流入側端部に該整流板を補強する補強リングを設けたので、ポンプ性能が更に向上する。
【００２８】
請求項９に記載の発明によれば、ライナリングの液流入側端部周方向にインペラ入口の内周側及び外周側に径方向に対して所定角度傾斜した方向に液流の逆流旋回成分を防止すると共に液流を整流する複数の逆流旋回成分防止兼整流板を設けたので、ポンプの部分流量領域で大きな振動速度を抑制できると共にポンプ性能が向上した遠心ポンプを提供できる。
【００２９】
請求項１０に記載の発明によれば、逆流旋回成分防止兼整流板の内側端に該逆流旋回成分防止兼整流板を補強する補強リングを設けたので、ポンプの部分流量領域で大きな振動速度を抑制する作用及びポンプ性能が更に向上する。
【発明を実施するための最良の形態】
【００３０】
以下、本発明の実施の形態例を図面に基づいて説明する。図４は本発明に係る遠心ポンプの一例である両吸込渦巻ポンプの要部の正断面構成（図２のＢ−Ｂ断面に相当）を示す図であり、図５はライナリング部の構成を示す図である。図４において、図１及び図２と同じ符号を付した部分は同一又は相当部分を示す。なお、他の図面においても同様とする。本両吸込渦巻ポンプは、ポンプケーシング１０の正断面において吸込ケーシング部１１の中央部に吐出ケーシング部１２が配置され、吸込ケーシング部１１の吸込口（図示せず）と、吐出ケーシング部１２の吐出口（図示せず）は互いに反対向きとなっており、ポンプケーシング１０の中央部に主軸１４に固定されたインペラ１３が配置されている点は、図１及び図２に示す両吸込渦巻ポンプと同一である。
【００３１】
本両吸込渦巻ポンプが図１及び図２に示す両吸込渦巻ポンプと相違する点は、図４及び図５に示すように、ライナリング１７、１７の液流入側端部の周方向に等間隔で且つインペラ入口１３ａの中心Ｏに向かう複数のフィン１８を設けている点である。このようにライナリング１７、１７の液流入側端部にその周方向に複数のフィンを等間隔で設けることにより、インペラ入口１３ａの付近で発生する逆流の旋回成分はこの複数のフィン１８により阻止されるから、ポンプの部分流量領域で発生する大きな振動速度（過大振動）を抑制できる。
【００３２】
図３のポンプ流量（ｍ3／ｍｉｎ）と振動速度ｐｅａｋ（ｍｍ／ｓ）の試験結果を示す図で、曲線Ａは両吸込渦巻ポンプにライナリング１７、１７の周方向に複数のフィン１８を設けた本発明に係る両吸込渦巻ポンプの試験結果を、曲線Ｂはライナリング１７、１７に複数のフィンを設けない従来例を示す。図示するように、ライナリング１７、１７の液流入側端部の周方向に複数のフィン１８を等間隔で設けた本発明に係る両吸込渦巻ポンプでは部分流量領域Ｃにおける振動速度が従来例に比較して小さくなっていることがわかる。
【００３３】
また、上記例では各フィン１８はインペラ入口１３ａの中心Ｏに向かって配置されているが、フィン１８の向く方向は図６に示すようにインペラ入口１３ａの中心Ｏに向く方向（半径方向）に対して所定角度傾斜した方向に設け、インペラ１３に流入する液流の流れを均一化してもポンプの部分流量領域で発生する過大振動を抑制できる。なお、上記例ではフィン１８をライナリング１７、１７の液流入側端部の周方向に等間隔で設けているが、必ずしも等間隔である必要はなく、不等間隔でも程度の差はあるが、インペラ入口１３ａの付近で発生する逆流の旋回成分を阻止でき、ポンプの部分流量領域で発生する大きな振動速度（過大振動）を抑制できる。
【００３４】
図７は本発明に係る両吸込渦巻ポンプの要部の正断面構成を示す図であり、図８及び図９はそれぞれライナリング部の構成を示す図である。図示するように、本両吸込渦巻ポンプは図７及び図８に示すように、ライナリング１７の液流入側端部の周方向に等間隔で且つインペラ入口１３ａの中心の方向に向けて設けた複数のフィン１８の内側端に該フィン１８を補強する補強リング１９を設けている。また、図７及び図９に示すように、ライナリング１７の液流入側端部の周方向に等間隔で且つインペラ入口１３ａの中心Ｏ方向に対して所定角度傾斜した方向に向けて設けた複数のフィン１８の内側端に該フィンを補強する補強リング１９を設けている。
【００３５】
このように複数のフィン１８の内側端に補強リング１９を設けることにより、フィン１８が補強され、インペラ１３に流入する液流によりフィン１８に振動等が発生することなく、ポンプの部分流量領域で発生する過大振動の抑制作用を更に向上させることができる。なお、ここでもフィン１８は必ずしもライナリング１７、１７の液流入側端部の周方向に等間隔で設ける必要がなく、不等間隔でもインペラ入口１３ａの付近で発生する逆流の旋回成分をある程度阻止でき、ポンプの部分流量領域で発生する大きな振動速度（過大振動）を抑制できる。
【００３６】
図１０（Ａ）は本発明に係る両吸込渦巻ポンプの要部の正断面構成を示す図、図１０（Ｂ）は（Ａ）のＢ部分の拡大図である。本両吸込渦巻ポンプが図４に示す両吸込渦巻ポンプと相違する点は、ライナリング１７の液流入側端部が図１０（Ｂ）に示すように、インペラ入口１３ａの液流入側端部より所定角度液流入側に突出し且つインペラ入口側に傾斜する傾斜面を有する顎部（突出部）１７ａが形成されている点である。そして該顎部１７ａの液流入側端部にその周方向に等間隔で且つインペラ入口中心方向又は該中心方向に対して所定角度傾斜した方向に向けて液流の逆流旋回成分を防止する複数のフィン１８を設けている（図５及び図６参照）。
【００３７】
上記のように顎部１７ａを有するライナリング１７の該顎部１７ａの液流入側端部に周方向に等間隔で且つインペラ入口中心方向又は該中心方向に対して所定角度傾斜した方向に向けて液流の逆流旋回成分を防止する複数のフィン１８を設けることにより、図４に示す両吸込渦巻ポンプと同様、ポンプの部分流量領域で発生する過大振動を抑制できる。
【００３８】
図１１は本発明に係る両吸込渦巻ポンプの要部の正断面構成を示す図であり、本両吸込渦巻ポンプが図１０に示す両吸込渦巻ポンプと相違する点は、複数のフィン１８の内側端に該フィン１８を補強する補強リング１９を設けている（図８及び図９参照）点である。このように複数のフィン１８の内側端に補強リング１９を設けることにより、フィン１８が補強され、インペラ１３に流入する液流によりフィン１８に振動等が発生することなく、ポンプの部分流量領域で発生する過大振動の抑制作用を更に向上させることができる。なお、図１０、図１１に示す両吸込渦巻ポンプにおいても、フィン１８は必ずしもライナリング１７、１７の液流入側端部の周方向に等間隔で設ける必要がなく、不等間隔でもインペラ入口１３ａの付近で発生する逆流の旋回成分をある程度阻止でき、ポンプの部分流量領域で発生する大きな振動速度（過大振動）を抑制できる。
【００３９】
図１２は本発明に係る斜流ポンプの側面構成を示す図である。図示するように、本斜流ポンプは吸込ベル２０及び吐出しボウル２１から構成されるポンプケーシングを備え、吐出しボウル２１の吐出口に吐出管２２が接続されている。２３はポンプ羽根車（インペラ）であり、該ポンプ羽根車２３は主軸２４の先端にハブ２５を介して固定され、該ポンプ羽根車２３はその先端がポンプケーシングを構成する吸込ベル２０の後端内周面接近して位置する。ライナリング１７は吸込ベル２０の内周面にポンプ羽根車２３の先端に対向するように取り付けられている。
【００４０】
上記構成の斜流ポンプにおいて、主軸２４の回転によりポンプ羽根車２３が回転すると、吸込ベル２０の吸込口から吸い込まれた液は、吐出しボウル２１を通って、吐出管２２に吐き出される。このような斜流ポンプでも、部分流量運転においてポンプ羽根車２３の入口に流入した液のうち、ポンプ羽根車出口から流出できなかった分の液がポンプ羽根車２３によって回転させられながら、ポンプ羽根車２３の入口より逆流する。この旋回成分を持つ逆流が上記のようにポンプの部分流量領域での過大振動源となる。
【００４１】
そこでここでは、図１２及び図１３に示すように、ライナリング１７の液流入側端部近傍の内周面に周方向に等間隔で且つポンプ羽根車２３の入口中心（吸込ベル２０の中心）に向かって（図５参照）液流の逆流旋回成分を防止する複数のフィン１８を設けている。なお、図１３は図１２のＡ部分の拡大図である。このようにライナリング１７の液流入側端部の内周面に周方向に複数のフィン１８を等間隔で設けることにより、液流の逆流旋回成分はこの複数のフィン１８により阻止されるから、ポンプの部分流量領域で発生する過大振動を抑制できる。
【００４２】
上記複数のフィン１８は図６に示すようにポンプ羽根車２３の入口中心（吸込ベル２０の中心）の方向に対して所定角度傾斜した方向に向けて設けてもよい。これによりインペラ２３に流入する液流の流れが均一化され、ポンプの部分流量領域で発生する過大振動を抑制できる。
【００４３】
なお、複数のフィン１８の内側端に図８及び図９に示すように補強リング１９を設けることにより、フィン１８が補強され、ポンプ羽根車２３に流入する液流によりフィン１８に振動等が発生することなく、ポンプの部分流量領域で発生する過大振動の抑制作用を更に向上させることができる。なお、フィン１８は必ずしもライナリング１７、１７の液流入側端部の周方向に等間隔で設ける必要がなく、不等間隔でもポンプ羽根車入口２３ａの付近で発生する逆流の旋回成分をある程度阻止でき、ポンプの部分流量領域で発生する大きな振動速度（過大振動）を抑制できる。
【００４４】
また、上記例では、ライナリング１７の液流入側端部の周方向に等間隔に複数のフィン１８を設ける構成としたが、図１４に示すようにライナリング１７がない場合はポンプ羽根車２３の液流入側端部近傍の吸込ベル（ポンプケーシングの一部）２０の内周面にその周方向に直接等間隔で複数のフィン１８を設けてもよい。このように複数のフィン１８を吸込ベル２０の内周面に直接設けた場合も、ポンプの部分流量領域で発生する過大振動を抑制できる。なお、フィン１８は必ずしも吸込ベル２０の内周面に等間隔で設ける必要がなく、不等間隔でもポンプ羽根車入口２３ａの付近で発生する逆流の旋回成分をある程度阻止でき、ポンプの部分流量領域で発生する大きな振動速度（過大振動）を抑制できる。
【００４５】
図１５は本発明に係る軸流ポンプの側断面構成を示す図である。図示するように、本軸流ポンプはポンプケーシング２７を具備し、その先端に吸込ケーシング２６が接続され、後端に吐出ケーシング２８が接続されている。２９はポンプ羽根車（インペラ）であり、該ポンプ羽根車２９は主軸２４の先端にハブ３０を介して固定され、該ポンプ羽根車２９はその先端がポンプケーシング２７の内周面近傍に位置する。ライナリング１７はポンプケーシング２７の内周面にポンプ羽根車２９の先端に対向するように取り付けられている。
【００４６】
上記構成の軸流ポンプにおいて、主軸２４の回転によりポンプ羽根車２９が回転すると、吸込ケーシング２６の吸込口から吸い込まれた液は、ポンプケーシング２７を通って、吐出ケーシング２８に吐き出される。このような軸流ポンプでも、部分流量運転においてポンプ羽根車２９の入口に流入した液のうち、ポンプ羽根車出口から流出できなかった分の液がポンプ羽根車２９によって回転させられながら、ポンプ羽根車２９の入口より逆流する。この旋回成分を持つ液の逆流がポンプの部分流量領域での過大振動源となる。
【００４７】
そこでここでは、ライナリング１７の液流入側端部近傍の内周面にその周方向に等間隔で且つポンプ羽根車２９の入口の中心（ポンプケーシング２７の中心）方向に（図５参照）液流の逆流旋回成分を防止する複数のフィン１８を設けている。なお、図１６は図１５のＡ部分の拡大図である。このようにライナリング１７の液流入側端部の周方向に複数のフィンを等間隔で設けることにより、液流の逆流旋回成分はこの複数のフィン１８により阻止されるから、ポンプの部分流量領域で発生する大きな振動速度を抑制できる。
【００４８】
上記複数のフィン１８は図６に示すようにポンプ羽根車２９の入口中心（ポンプケーシング２７の中心）方向に対して所定角度傾斜した方向に向けて設けてもよい。これによりポンプ羽根車２９に流入する液流の流れが均一化され、ポンプの部分流量領域で発生する過大振動速度を抑制できる。
【００４９】
なお、複数のフィン１８の内側端に図８及び図９に示すように補強リング１９を設けることにより、フィン１８が補強され、インペラ２９に流入する液流によりフィン１８が振動することなく、ポンプの部分流量領域で発生する過大振動の抑制作用を更に向上させることができる。また、フィン１８は必ずしもライナリング１７、１７の液流入側端部の周方向に等間隔で設ける必要がなく、不等間隔でもポンプ羽根車入口付近で発生する逆流の旋回成分をある程度阻止でき、ポンプの部分流量領域で発生する大きな振動速度（過大振動）を抑制できる。
【００５０】
また、上記例では、ライナリング１７の液流入側端部の周方向に等間隔に複数のフィン１８を設ける例を示したが、図１７に示すようにライナリング１７がない場合は、インペラ２９の液流入側端部近傍のポンプケーシング２７の内周面にその周方向に直接等間隔で複数のフィン１８を設けてもよい。このように複数のフィン１８をポンプケーシング２７の内周面に直接設けた場合も、ポンプの部分流量領域で発生する過大速度を抑制できる。なお、フィン１８は必ずしもポンプケーシング２７の内周面に周方向に等間隔で設ける必要がなく、不等間隔でもポンプ羽根車入口付近で発生する逆流の旋回成分をある程度阻止でき、ポンプの部分流量領域で発生する大きな振動速度（過大振動）を抑制できる。
【００５１】
図１８は本発明に係る遠心ポンプの一例である両吸込渦巻ポンプの要部の正断面構成を示す図であり、図１９はライナリング部の構成を示す図である。本両吸込渦巻ポンプが図４に示す両吸込渦巻ポンプと相違する点は、ライナリング１７の液流入側端部の周方向に図１９に示すように等間隔で且つインペラ入口１３ａの外周側径方向に対して所定角度傾斜した方向に該インペラ入口に流れ込む液流を整流する複数の整流板３１を設けた点である。
【００５２】
上記のようにライナリング１７の液流入側端部の周方向に等間隔で且つインペラ入口の外周側径方向に対して所定角度傾斜した方向にインペラ入口１３ａに流れ込む液流を整流する複数の整流板３１を設けることにより、インペラ１３に流入する液流の流れが均一化され、ポンプ性能が向上する。
【００５３】
図２０は本発明に係る遠心ポンプの一例である両吸込渦巻ポンプの要部の正断面構成を示す図であり、図２１はライナリング部の構成を示す図である。本両吸込渦巻ポンプが図１８に示す両吸込渦巻ポンプと相違する点は、ライナリング１７の液流入側端部の周方向に設けた複数の整流板３１の液流入側端部に該整流板３１を補強する補強リング３２を設けた点である。
【００５４】
上記のように複数の整流板３１の液流入側端部に補強リング３２を設けたことにより、整流板３１が補強され、インペラ１３に流入する液流により整流板３１に振動等が発生することなく、インペラ１３に流入する液流の流れが均一化されるから、ポンプ性能は更に向上する。なお、図１８乃至図２１に示す両吸込渦巻ポンプ例では複数の整流板３１をライナリング１７の液流入側端部の周方向に等間隔で設けているが、必ずしも等間隔で設ける必要がなく、不等間隔でも程度差はあるもインペラ１３に流入する液流の流れが均一化され、ポンプ性能が向上する。
【００５５】
図２２は本発明に係る遠心ポンプの一例である両吸込渦巻ポンプの要部の正断面構成を示す図であり、図２３はライナリング部の構成を示す図である。本両吸込渦巻ポンプが図１８に示す両吸込渦巻ポンプと相違する点は、ライナリング１７の液流入側端部の周方向に図２３に示すように等間隔で且つインペラ入口の内周側及び外周側径方向に対して所定角度傾斜した方向に液流の逆流旋回成分を防止する作用と液流を整流する作用を奏する複数の逆流旋回成分防止兼整流板３３を設けた点である。
【００５６】
上記のようにライナリング１７の液流入側端部の周方向に等間隔で且つインペラ入口１３ａの径方方向に対して所定角度傾斜した方向に逆流旋回成分防止兼整流板３３を設けることにより、ポンプの部分流量領域での過大振動速度を抑制されると共に、ポンプ性能が向上する。
【００５７】
図２４は本発明に係る遠心ポンプの一例である両吸込渦巻ポンプの要部の正断面構成を示す図であり、図２５はライナリング部の構成を示す図である。本両吸込渦巻ポンプが図２２に示す両吸込渦巻ポンプと相違する点は、複数の逆流旋回成分防止兼整流板３３の内側端に該逆流旋回成分防止兼整流板３３を補強する補強リング３４を設けた点である。
【００５８】
上記のように逆流旋回成分防止兼整流板３３の内側端に補強リング３４を設けたことにより、逆流旋回成分防止兼整流板３３が補強され、インペラ１３に流入する液流により逆流旋回成分防止兼整流板３３に振動等が発生することなく、ポンプの部分流量領域での過大振動を抑制する作用とポンプ性能が更に向上する。なお、図２０乃至図２５に示す両吸込渦巻ポンプ例では複数の逆流旋回成分防止兼整流板３３をライナリング１７の液流入側端部の周方向に等間隔で設けているが、必ずしも等間隔で設ける必要がなく、不等間隔でも程度差はあるもインペラ１３に流入する液流の逆流旋回成分が阻止されると共に、液流が整流され、ポンプの部分流量領域での過大振動を抑制する作用とポンプ性能が向上する。
【００５９】
以上、本発明の実施形態を説明したが、本発明は上記実施形態に限定されるものではなく、特許請求の範囲、及び明細書と図面に記載された技術的思想の範囲内において種々の遠心ポンプ、斜流ポンプ、軸流ポンプへの適用が可能である。
【図面の簡単な説明】
【００６０】
【図１】従来の両吸込渦巻ポンプの正断面図（図２のＢ−Ｂ断面）である。
【図２】従来の両吸込渦巻ポンプ側面図（図１のＡ矢視図）である。
【図３】本発明に係る両吸込渦巻ポンプと従来の両吸込渦巻ポンプの試験結果を示す図である。
【図４】本発明に係る両吸込渦巻ポンプの要部の構成例を示す断面図である。
【図５】図４に示す両吸込渦巻ポンプのライナリング部の構成例を示す図である。
【図６】図４に示す両吸込渦巻ポンプのライナリング部の構成例を示す図である。
【図７】本発明に係る両吸込渦巻ポンプの要部の構成例を示す断面図である。
【図８】図７に示す両吸込渦巻ポンプのライナリング部の構成例を示す図である。
【図９】図７に示す両吸込渦巻ポンプのライナリング部の構成例を示す図である。
【図１０】本発明に係る両吸込渦巻ポンプの要部の構成例を示す断面図である。
【図１１】本発明に係る両吸込渦巻ポンプの要部の構成例を示す断面図である。
【図１２】本発明に係る斜流ポンプの構成例を示す断面図である。
【図１３】図１２のＡ部分の拡大図である。
【図１４】本発明に係る斜流ポンプのポンプ羽根車先端部を示す断面図である。
【図１５】本発明に係る軸流ポンプの構成例を示す断面図である。
【図１６】図１５のＡ部分の拡大図である。
【図１７】本発明に係る軸流ポンプのポンプ羽根車先端部を示す断面図である。
【図１８】本発明に係る両吸込渦巻ポンプの要部の構成例を示す断面図である。
【図１９】図１８に示す両吸込渦巻ポンプのライナリング部の構成例を示す図である。
【図２０】本発明に係る両吸込渦巻ポンプの要部の構成例を示す断面図である。
【図２１】図２０に示す両吸込渦巻ポンプのライナリング部の構成例を示す図である。
【図２２】本発明に係る両吸込渦巻ポンプの要部の構成例を示す断面図である。
【図２３】図２２に示す両吸込渦巻ポンプのライナリング部の構成例を示す図である。
【図２４】本発明に係る両吸込渦巻ポンプの要部の構成例を示す断面図である。
【図２５】図２４に示す両吸込渦巻ポンプのライナリング部の構成例を示す図である。
【符号の説明】
【００６１】
１０      ポンプケーシング
１１      吸込ケーシング部
１２      吐出ケーシング部
１３      インペラ
１４      主軸
１５      軸受
１６      軸封部
１７      ライナリング
１７ａ    顎部
１８      フィン
１９      補強リング
２０      吸込ベル
２１      吐出しボウル
２２      吐出管
２３      ポンプ羽根車（インペラ）
２４      主軸
２５      ハブ
２６      吸込ケーシング
２７      ポンプケーシング
２８      吐出ケーシング
２９      ポンプ羽根車（インペラ）
３０      ハブ
３１      整流板
３２      補強リング
３３      逆流旋回成分防止兼整流板
３４      補強リング
【図１】
2007092565.tif 000003
【図２】
2007092565.tif 000004
【図３】
2007092565.tif 000005
【図４】
2007092565.tif 000006
【図５】
2007092565.tif 000007
【図６】
2007092565.tif 000008
【図７】
2007092565.tif 000009
【図８】
2007092565.tif 000010
【図９】
2007092565.tif 000011
【図１０】
2007092565.tif 000012
【図１１】
2007092565.tif 000013
【図１２】
2007092565.tif 000014
【図１３】
2007092565.tif 000015
【図１４】
2007092565.tif 000016
【図１５】
2007092565.tif 000017
【図１６】
2007092565.tif 000018
【図１７】
2007092565.tif 000019
【図１８】
2007092565.tif 000020
【図１９】
2007092565.tif 000021
【図２０】
2007092565.tif 000022
【図２１】
2007092565.tif 000023
【図２２】
2007092565.tif 000024
【図２３】
2007092565.tif 000025
【図２４】
2007092565.tif 000026
【図２５】
2007092565.tif 000027